(57)【要約】【課題】用紙がサイドガイドへ乗り上げてしまう可能性を低減できる給紙装置及び給紙装置のトレイを提供する。【解決手段】用紙が下流に搬送される場合に、展開位置の上ガイド２２、３２が、給紙トレイ１６に載置された用紙の上流側の左右の端部を規制することができる。上ガイド２２、３２は、第一面５０１の法線方向に延びる軸を中心にサイドガイド２０、３０に対して、各々  収納位置と展開位置との間で回動可能なだけであるので、用紙のスキューによるズレにより、上ガイド２２、３２が用紙により押し上げられても、上ガイド２２、３２が上方向に回動して、用紙が載置される領域外に回動してしまうおそれを低減できる。【選択図】図５
2017165575.tif 000002
【特許請求の範囲】
【請求項１】
用紙を第一方向に送るローラと、
前記ローラよりも前記第一方向の上流に設けられ、前記用紙が載置される第一面を有するトレイと、
前記第一面から突出し、前記第一方向に延び、前記第一方向と直交する第二方向にスライド可能に前記トレイに保持され、前記トレイの前記第二方向の中心である第一中心を向く内側面を有するサイドガイドと、
前記サイドガイドに保持され、前記第一面の法線方向に延びる軸を中心に前記サイドガイドに対して、収納位置と展開位置との間で回動可能な上ガイドと
を備え、
前記収納位置において前記上ガイドの先端が前記内側面よりも前記第一中心から遠い距離又は等距離にあり、
前記展開位置において、前記上ガイドの前記先端が前記サイドガイドの前記内側面よりも前記第一中心に近いことを特徴とする給紙装置。
【請求項２】
前記上ガイドが前記収納位置にある場合に、前記軸は、前記先端よりも前記第一方向の下流に位置することを特徴とする請求項１に記載の給紙装置。
【請求項３】
前記収納位置から前記展開位置と反対方向への前記上ガイドの回動を規制する第一規制部を備えたことを特徴とする請求項１又は２に記載の給紙装置。
【請求項４】
前記第一規制部は、
前記軸よりも前記第一中心から遠い前記サイドガイドの一部分であって、前記収納位置にある前記上ガイドと当接する部分に形成され、前記軸と平行に延びる第二面と、
前記上ガイドに形成される面であって、前記上ガイドが前記収納位置にある場合に前記第二面と当接する第三面とを含むことを特徴とする請求項３に記載の給紙装置。
【請求項５】
前記上ガイドの前記展開位置は、前記上ガイドの前記先端が前記第一中心へ向けて前記内側面から突出する長さが最大となる位置であり、
前記内側面から突出する長さが最大となる前記上ガイドの前記展開位置から、前記収納位置と反対方向への回動を規制する第二規制部を備えたことを特徴とする請求項１〜４の何れかに記載の給紙装置。
【請求項６】
前記第二規制部は、
前記軸よりも前記第一中心から近い前記サイドガイドの一部分であって、前記展開位置にある前記上ガイドと当接する位置に形成され、前記軸と平行に延びる第四面と、
前記第四面に前記展開位置で当接する前記上ガイドの側面部分とを含むことを特徴とする請求項５に記載の給紙装置。
【請求項７】
前記サイドガイドは、前記トレイの前記第一面から前記第一面の法線方向に第一距離離間して前記内側面に形成された標識を有し、
前記第一面の法線方向において、前記トレイの前記第一面と、前記展開位置において前記トレイの前記第一面に対向する前記上ガイドの前記用紙との接触面との間は、前記第一距離以上離間していることを特徴とする請求項１〜６の何れかに記載の給紙装置。
【請求項８】
前記サイドガイドは、
前記内側面と反対側を向く外側面と、
前記外側面に形成され、前記第一方向に延びる窪みとを備え、
前記上ガイドは、前記第一方向において、前記窪みよりも前記第一方向の上流に位置することを特徴とする請求項１〜７の何れかに記載の給紙装置。
【請求項９】
前記サイドガイドは、
前記第二方向において前記第一中心に対して一方に位置する第一サイドガイドと、
前記第二方向において前記第一中心に対して他方に位置する第二サイドガイドとを有し、
前記上ガイドは、
前記第一サイドガイドの前記上流の端部側に設けられた第一上ガイドと、
前記第二サイドガイドの前記上流の端部側に設けられた第二上ガイドとを有することを特徴とする請求項１〜８のいずれかに記載の給紙装置。
【請求項１０】
前記サイドガイドは、前記第一中心に対して最も離間する離間位置と、前記第一中心に対して最も近づく近接位置との間において、前記第二方向に移動可能に前記トレイに設けられ、
前記上ガイドの長手方向の前記サイドガイドの前記内側面からの突出長さは、前記サイドガイドが前記近接位置にある場合における、前記サイドガイドの前記内側面と前記第一中心との距離よりも短いことを特徴とする請求項９に記載の給紙装置。
【請求項１１】
用紙が載置される第一面を有するトレイであって、
前記第一面から突出し、前記第一面に平行な第一方向に延び、前記第一面に平行且つ前記第一方向に直交する第二方向にスライド可能に前記トレイに保持され、前記トレイの前記第二方向の中心である第一中心を向く内側面を有するサイドガイドと、
前記サイドガイドに保持され、前記第一面の法線方向に延びる軸を中心に前記サイドガイドに対して、収納位置と展開位置との間で回動可能な上ガイドと
を備え、
前記収納位置において前記上ガイドの先端が前記内側面よりも前記トレイの前記第二方向の中心である第一中心から遠い距離又は等距離にあり、
前記展開位置において、前記上ガイドの前記先端が前記内側面よりも前記第一中心に近いことを特徴とする給紙装置のトレイ。
【発明の詳細な説明】
【技術分野】
【０００１】
本発明は給紙装置及び給紙装置のトレイに関する。
【背景技術】
【０００２】
読み取り装置、ファクシミリ装置、及び複写機等の給紙装置には、用紙が積載されるトレイが設けられている。このトレイは、用紙が搬送中に傾いでしまうスキューが生じることを防ぐために、用紙の幅方向の位置規制を行うサイドガイドを備えている。しかし、用紙のスキュー量が大きくなると、サイドガイドでは用紙の移動を規制することができず、用紙が、サイドガイドに沿って迫り上がることがある。極端な場合には用紙がサイドガイドに乗り上げてサイドガイドから外れてしまうおそれもあった。この問題を解決するために、特許文献１は、サイドガイドとサイドガイドの上部に設けられた上ガイドを備えた原稿セット部を有するファクシミリ装置を開示する。この上ガイドは、用紙の上方への移動を規制している。このファクシミリ装置では、原稿セット部への用紙の載置時に、上ガイドが邪魔にならないように、上ガイドをサイドガイドに対して回動可能またはスライド移動可能にしている。従って、上ガイドを用紙がセットされる領域外に移動させることができる。
【先行技術文献】
【特許文献】
【０００３】
【特許文献１】特開２００２−２５５３５７号公報
【発明の概要】
【発明が解決しようとする課題】
【０００４】
特許文献１に記載の発明のように、上ガイドをサイドガイドに対して回動可能にしている場合には、用紙のスキューによるズレにより、上ガイドが用紙により押し上げられ、上ガイドが、用紙がセットされる領域外に回動するおそれがある。また、上ガイドをサイドガイドに対してスライド移動可能にする場合には、上ガイドをスライド可能に支持するサイドガイド側の支持部と、上ガイドの被支持部との間には、所定の隙間が設けられている。従って、上ガイドが用紙により押し上げられると、この隙間により上ガイドが傾斜し、上ガイドに用紙がセットされる領域外方向への力が働く。従って、上ガイドが用紙がセットされる領域外に移動してしまうおそれがある。上ガイドが用紙がセットされる領域外に回動又は移動してしまうと、用紙のスキューによるズレを上ガイドが規制できず、用紙がサイドガイドに乗り上げてサイドガイドから外れてしまうという問題点があった。この問題は、原稿セット部以外に、印刷用の用紙がセットされる用紙セット部に上記サイドガイドと上記上ガイドが設けられた場合においても同様に生じる。
【０００５】
本発明の目的は、用紙がサイドガイドへ乗り上げてしまう可能性を低減できる給紙装置及び給紙装置のトレイを提供することである。
【課題を解決するための手段】
【０００６】
本発明の第一態様に係る給紙装置は、用紙を第一方向に送るローラと、前記ローラよりも前記第一方向の上流に設けられ、前記用紙が載置される第一面を有するトレイと、前記第一面から突出し、前記第一方向に延び、前記第一方向と直交する第二方向にスライド可能に前記トレイに保持され、前記トレイの前記第二方向の中心である第一中心を向く内側面を有するサイドガイドと、前記サイドガイドに保持され、前記第一面の法線方向に延びる軸を中心に前記サイドガイドに対して、収納位置と展開位置との間で回動可能な上ガイドとを備え、前記収納位置において前記上ガイドの先端が前記内側面よりも前記第一中心から遠い距離又は等距離にあり、前記展開位置において、前記上ガイドの前記先端が前記サイドガイドの前記内側面よりも前記第一中心に近いことを特徴とする。
【０００７】
上記構成によれば、上ガイドは、用紙が載置される第一面の法線方向に延びる軸を中心にサイドガイドに対して、収納位置と展開位置との間で回動する。従って、用紙のスキューによるズレにより、上ガイドが用紙により押し上げられても、上ガイドが、用紙がセットされる領域外に回動してしまうおそれを低減できる。また、上ガイドは、収納位置において上ガイドの先端がサイドガイドの内側面よりも第一中心から遠い距離又は等距離にあるので、トレイへ用紙が載置される場合に上ガイドの先端が邪魔にならない給紙装置が実現される。
【０００８】
前記給紙装置において、前記上ガイドが前記収納位置にある場合に、前記軸は、前記先端よりも前記第一方向の下流に位置してもよい。この場合、上ガイドが収納位置にある場合に、軸は、上ガイドの先端よりも第一方向の下流に位置するので、上ガイドの先端をサイドガイドの第一方向の上流の端部側に設けることができる。
【０００９】
前記給紙装置において、前記収納位置から前記展開位置と反対方向への前記上ガイドの回動を規制する第一規制部を備えてもよい。この場合、第一規制部により、収納位置から展開位置と反対方向への上ガイドの回動を規制することができる。
【００１０】
前記給紙装置において、前記第一規制部は、前記軸よりも前記第一中心から遠い前記サイドガイドの一部分であって、前記収納位置にある前記上ガイドと当接する部分に形成され、前記軸と平行に延びる第二面と、前記上ガイドに形成される面であって、前記上ガイドが前記収納位置にある場合に前記第二面と当接する第三面とを含んでもよい。この場合、サイドガイドの第二面と上ガイドの第三面との当接により、収納位置から展開位置と反対方向への上ガイドの回動を規制することができる。
【００１１】
前記給紙装置において、前記上ガイドの前記展開位置は、前記上ガイドの前記先端が前記第一中心へ向けて前記内側面から突出する長さが最大となる位置であり、前記内側面から突出する長さが最大となる前記上ガイドの前記展開位置から、前記収納位置と反対方向への回動を規制する第二規制部を備えてもよい。この場合、第二規制部により、上ガイドの展開位置から、収納位置と反対方向への上ガイドの回動を規制することができる。従って、用紙の第一方向への送りにより、上ガイドが展開位置から、収納位置と反対方向へ回動する可能性を低減できる。
【００１２】
前記給紙装置において、前記軸よりも前記第一中心から近い前記サイドガイドの一部分であって、前記展開位置にある前記上ガイドと当接する位置に形成され、前記軸と平行に延びる第四面と、前記第四面に前記展開位置で当接する前記上ガイドの側面部分とを含んでもよい。この場合、サイドガイドの第四面と上ガイドの側面部分との当接により、収納位置と反対方向への上ガイドの回動を規制することができる。
【００１３】
前記給紙装置において、前記サイドガイドは、前記トレイの前記第一面から前記第一面の法線方向に第一距離離間して前記内側面に形成された標識を有し、前記第一面の法線方向において、前記トレイの前記第一面と、前記展開位置において前記トレイの前記第一面に対向する前記上ガイドの前記用紙との接触面との間は、前記第一距離以上離間していてもよい。この場合、標識の位置までトレイに用紙が積載されるので、展開位置において、トレイの第一面と、上ガイドの用紙との接触面との間が第一距離以上離間していれば、上ガイドがトレイに載置された用紙の送りの妨げになる可能性を低減できる。
【００１４】
前記給紙装置において、前記サイドガイドは、前記内側面と反対側を向く外側面と、前記外側面に形成され、前記第一方向に延びる窪みとを備え、前記上ガイドは、前記第一方向において、前記窪みよりも前記第一方向の上流に位置してもよい。この場合、サイドガイドの外側面に形成された窪みは、サイドガイドの把持部として利用される。上ガイドは、窪みよりも第一方向の上流に位置するので、上ガイドが、使用者が窪みを把持する場合の妨げにならない。
【００１５】
前記給紙装置において、前記サイドガイドは、前記第二方向において前記第一中心に対して一方に位置する第一サイドガイドと、前記第二方向において前記第一中心に対して他方に位置する第二サイドガイドとを有し、前記上ガイドは、前記第一サイドガイドの前記上流の端部側に設けられた第一上ガイドと、前記第二サイドガイドの前記上流の端部側に設けられた第二上ガイドとを有してもよい。この場合、第一サイドガイド及び第二サイドガイドの各々に、第一上ガイド及び第二上ガイドが各々設けられるので、第一サイドガイド及び第二サイドガイドの何れの方向への用紙の乗り上げの可能性を低減できる。
【００１６】
前記給紙装置において、前記サイドガイドは、前記第一中心に対して最も離間する離間位置と、前記第一中心に対して最も近づく近接位置との間において、前記第二方向に移動可能に前記トレイに設けられ、前記上ガイドの長手方向の前記サイドガイドの前記内側面からの突出長さは、前記サイドガイドが前記近接位置にある場合における、前記サイドガイドの前記内側面と前記第一中心との距離よりも短くてもよい。この場合、サイドガイドが第一中心に対して最も近づく近接位置にある場合でも、上ガイドの長手方向の長さは、サイドガイドの内側面と第一中心との距離よりも短いので、上ガイドの展開位置への回動の妨げになる可能性を低減できる。
【００１７】
本発明の第二態様に係る給紙装置のトレイは、用紙が載置される第一面を有するトレイであって、前記第一面から突出し、前記第一面に平行な第一方向に延び、前記第一面に平行且つ前記第一方向に直交する第二方向にスライド可能に前記トレイに保持され、前記トレイの前記第二方向の中心である第一中心を向く内側面を有するサイドガイドと、前記サイドガイドに保持され、前記第一面の法線方向に延びる軸を中心に前記サイドガイドに対して、収納位置と展開位置との間で回動可能な上ガイドとを備え、前記収納位置において前記上ガイドの先端が前記内側面よりも前記トレイの前記第二方向の中心である第一中心から遠い距離又は等距離にあり、前記展開位置において、前記上ガイドの前記先端が前記内側面よりも前記第一中心に近いことを特徴とする。この場合、上ガイドは、用紙が載置される第一面の法線方向に延びる軸を中心にサイドガイドに対して、収納位置と展開位置との間で回動する。従って、用紙のスキューによるズレにより、上ガイドが用紙により押し上げられても、上ガイドが、用紙がセットされる領域外に回動してしまうおそれを低減できる。また、上ガイドは、収納位置において上ガイドの先端がサイドガイドの内側面よりも第一中心から遠い距離又は等距離にあるので、トレイへ用紙が載置される場合の邪魔にならない給紙装置のトレイが実現される。
【図面の簡単な説明】
【００１８】
【図１】読取装置１の斜視図である。
【図２】第２筐体１２を取り除いた読取装置１の斜視図である。
【図３】読取装置１の全体構成を示す縦断面図である。
【図４】給紙トレイ１６の平面図である。
【図５】給紙トレイ１６の斜視図である。
【図６】図４のＡ−Ａ線におけるサイドガイド２０及び給紙トレイ１６の縦断面図である。
【図７】図６のＢ−Ｂ線における上ガイド２２が収納位置のサイドガイド２０の横断面図である。
【図８】上ガイド２２が展開位置のサイドガイド２０の横断面図である。
【図９】サイドガイド２０、３０を近接位置に移動させた状態の給紙トレイ１６の平面図である。
【発明を実施するための形態】
【００１９】
本発明の実施形態の一例である読取装置１を説明する。以下の説明では、図１の上方、下方、左下方、右上方、左上方、右下方を、それぞれ、読取装置１の上方、下方、前方、後方、左方、右方とする。
【００２０】
［読取装置１の物理的構成］
図１及び図２を参照し、読取装置１の構成の概略を説明する。読取装置１は、シート状の用紙（原稿）を搬送する機能を備え、搬送される用紙の両面を読み取り可能に構成されたシートフィードスキャナである。読取装置１は、筐体１０、給紙トレイ１６、及び、排紙トレイ１８を備える。読取装置１は、給紙トレイ１６に積載された複数枚の用紙（図示外）を一枚ずつ筐体１０の内部へ給紙し、筐体１０の内部から排出される用紙を排紙トレイ１８に排出する。読取装置１は、用紙を筐体１０の内部で搬送する過程で、用紙の画像を読み取ることができる。尚、図２は、排紙トレイ１８が筐体１０に収納され、筐体１０のうち後述する第２筐体１２が省略された状態の図である。
【００２１】
図３に示すように、筐体１０は、搬送方向に沿って用紙が搬送される搬送領域３を内部に定義する。筐体１０は、第１筐体１１及び第２筐体１２を有する。第１筐体１１及び第２筐体１２の各々の形状は、箱状である。第１筐体１１は、筐体１０の下部を形成する。第２筐体１２は、第１筐体１１に対して上側から重なり、筐体１０の上部を形成する。第２筐体１２の上面には、操作部４が設けられている。搬送領域３は、第１筐体１１と第２筐体１２との上下方向における間に形成される。搬送領域３は、読取装置１が用紙を搬送して画像を読み取る過程で、用紙が通過する領域に対応する。搬送領域３は、給紙口１０Ａ及び排紙口１０Ｂによって筐体１０の外側と繋がる。従って、用紙は、上面１１Ａと下面１２Ａとの間を通って、給紙口１０Ａから排紙口１０Ｂまで搬送される。なお、第２筐体１２は、排紙口１０Ｂの近傍において左右方向に延びる軸線を中心として、第１筐体１１に対して回動可能（即ち、開閉可能）に接続される。
【００２２】
搬送方向（図２参照）は、斜め上下方向（即ち、前方斜め下方向及び後方斜め上方向）に対応する。ただし、搬送方向は、搬送領域３に沿った方向であるため、直線方向として定義されなくてもよい。即ち、搬送方向は、搬送領域３における位置に応じて、前後、上下、左右方向に対する向きの関係が変化してもよい。搬送方向のうち、搬送領域３における給紙口１０Ａに向かう方向を「上流」という。搬送方向のうち、搬送領域３における排紙口１０Ｂに向かう方向を「下流」という。
【００２３】
給紙トレイ１６は、第１筐体１１のうち給紙口１０Ａの後ろ側から、後方斜め上向きに延びる。給紙トレイ１６は、略板形状である。給紙トレイ１６の上側の面に、１以上の用紙が載せられる。本例の用紙は、Ａ４サイズ、レターサイズ等の薄紙又は厚紙である。
【００２４】
排紙トレイ１８は、第１筐体１１の下部に収納可能である。排紙トレイ１８は、図２に示す収納された状態から、前方に引き出され、図１に示す伸長した状態で利用される。排紙トレイ１８が第１筐体１１の下部から引き出された場合、排紙トレイ１８は、第１筐体１１のうち排紙口１０Ｂの下側から、前向きに延びる。排紙トレイ１８は、略板形状である。排紙トレイ１８の上側の面は、排紙口１０Ｂから筐体１０の外部に排出される用紙を受ける。
【００２５】
図２及び図３に示すように、第１筐体１１は、給紙ローラ６３０、搬送ローラ９１、第１読取部９３、搬送ローラ９２及び制御部２を備える。給紙ローラ６３０、搬送ローラ９１、第１読取部９３、及び搬送ローラ９２は各々、搬送領域３に沿って搬送方向上流から下流に順番に並ぶ。図２に示すように、給紙ローラ６３０は、右給紙ローラ６３１と左給紙ローラ６３２を備える。搬送ローラ９１は、右搬送ローラ９１１と左搬送ローラ９１２を備える。搬送ローラ９２は、右搬送ローラ９２１と左搬送ローラ９２２を備える。給紙ローラ６３０の上面は、第１筐体１１の上面１１Ａの開口６３から上側に突出する。また、搬送ローラ９１の上面は、第１筐体１１の上面１１Ａの開口６４から上側に突出する。搬送ローラ９２の上面は、第１筐体１１の上面１１Ａの開口６５から上側及び前側に突出する。
【００２６】
給紙ローラ６３０は、搬送方向と交差する方向に沿って延びる軸４２を中心として回転する。本例において、軸方向は、左右方向に一致する。給紙ローラ６３０は円柱状である。給紙ローラ６３０の外周面に、左右方向に沿って延びる直線状の凹部が複数設けられる。軸４２は、第１筐体１１に回転可能に支持される。軸４２は、第１モータ（図示外）の回転に応じて回転する。給紙ローラ６３０は、軸４２の回転に応じて、反時計回りに回転する。給紙ローラ６３０の一部（例えば、給紙ローラ６３０の上端に位置する外周部分）は、搬送領域３に向けて突出する。給紙ローラ６３０と軸４２との間には、ワンウェイクラッチ（図示略）が設けられる。このワンウェイクラッチは、給紙ローラ６３０が軸４２に対して反時計回りに空転することを許容する。
【００２７】
搬送ローラ９１、９２は、用紙に当接して回転することで、用紙を搬送領域３に沿って、搬送方向に搬送可能である。搬送ローラ９１、９２は円柱状である。搬送ローラ９１、９２の軸線は各々、左右方向に延びる。搬送ローラ９１、９２は同一形状である。軸部材９１Ａは搬送ローラ９１の軸線に沿って延びる。軸部材９２Ａは搬送ローラ９２の軸線に沿って延びる。軸部材９１Ａ、９２Ａは各々、第１筐体１１に回転可能に支持される。軸部材９１Ａ、９２Ａは各々、第２モータ（図示外）の回転に応じて回転する。搬送ローラ９１は、軸部材９１Ａの回転に応じて、反時計回りに回転する。搬送ローラ９２は、軸部材９２Ａの回転に応じて、反時計回りに回転する。搬送ローラ９１、９２の一部（例えば、搬送ローラ９１、９２の上端に位置する外周部分）は、搬送領域３に向けて突出する。
【００２８】
第１読取部９３は、搬送領域３において搬送ローラ９１よりも搬送方向の下流に配置される。第１読取部９３は、用紙の画像を用紙の下側から読み取り、読み取った画像を表す画像データを生成可能である。第１読取部９３は、搬送方向において搬送ローラ９１、９２の間に設けられる。第１読取部９３は、左右方向を主走査方向とする。第１読取部９３は、制御部２からの指示に応じて、読み取った画像を表す画像データを、制御部２に出力する。
【００２９】
図３に示すように、第２筐体１２は、リバースローラ４６、従動ローラ９５、第２読取部９４、及び従動ローラ９６を備える。リバースローラ４６、従動ローラ９５、第２読取部９４、及び従動ローラ９６は各々、搬送領域３に沿って搬送方向上流から下流に順番に並ぶ。リバースローラ４６、従動ローラ９５、第２読取部９４、及び従動ローラ９６の下面は各々、第２筐体１２の下面１２Ａよりも下側に突出する。
【００３０】
リバースローラ４６は、搬送領域３内で給紙ローラ６３０と接触する。リバースローラ４６は、給紙ローラ６３０に対して上側に配置される。リバースローラ４６は円柱状である。リバースローラ４６の直径は、給紙ローラ６３０の直径よりも小さい。リバースローラ４６の軸線は左右方向に延びる。軸部材４７は、リバースローラ４６の軸線に沿って延びる。軸部材４７は、ホルダ８０に回転可能に支持される。軸部材４７は、後述する第２モータ（図示外）の回転に応じて回転する。リバースローラ４６は、図示しないトルクリミッタを介して軸部材４７に接続される。リバースローラ４６は、軸部材４７から、反時計回りの駆動力を受ける。トルクリミッタの空転トルクは、用紙とリバースローラ４６との間の摩擦力、及び給紙ローラ６３０とリバースローラ４６との間の摩擦力によって空転する値に設定されている。
【００３１】
一方、トルクリミッタの空転トルクは、用紙同士の間の摩擦力によっては空転しない値に設定されている。このため、給紙ローラ６３０とリバースローラ４６との間に用紙が存在しない場合、又は給紙ローラ６３０とリバースローラ４６との間に用紙が１枚だけ存在する場合、リバースローラ４６は、軸部材４７から受ける駆動力に逆らって、時計回りに回転する。一方、給紙ローラ６３０とリバースローラ４６との間に用紙が２枚以上存在する場合、リバースローラ４６は、軸部材４７から受ける駆動力に応じて、反時計回りに回転する。リバースローラ４６の一部（例えば、リバースローラ４６の下端に位置する外周部分）は、搬送領域３に向けて突出する。
【００３２】
図３に示すように、従動ローラ９５、９６は円柱状である。従動ローラ９５は、用紙が搬送されていない場合、搬送ローラ９１の上側に接触する。従動ローラ９６は、用紙が搬送されていない場合、搬送ローラ９２の上側に接触する。従動ローラ９５、９６の軸線は、左右方向に延びる。従動ローラ９５、９６は同一形状を有する。従動ローラ９５、９６が固定される各々の軸部材は、第２筐体１２に回転可能に支持される。従動ローラ９５は、バネ９７によって、搬送ローラ９１に向けて付勢される。従動ローラ９６は、バネ９８によって、搬送ローラ９２に向けて付勢される。従動ローラ９５、９６の一部（例えば、従動ローラ９５、９６の下端に位置する外周部分）は、搬送領域３に向けて突出する。
【００３３】
第２読取部９４は、搬送領域３において搬送ローラ９１よりも搬送方向の下流に配置される。第２読取部９４は、用紙の画像を用紙の上側から読み取り、読み取った画像を表す画像データを生成可能である。第２読取部９４は、搬送方向において従動ローラ９５、９６の間に設けられる。第２読取部９４は、左右方向を主走査方向とする。第２読取部９４は、制御部２からの指示に応じて、読み取った画像を表す画像データを、制御部２に出力する。第１読取部９３は、ＣＩＳ（Ｃｏｎｔａｃｔ  Ｉｍａｇｅ  Ｓｅｎｓｏｒ）及びＡＦＥ（Ａｎａｌｏｇ  Ｆｒｏｎｔ  Ｅｎｄ）を備える。第２読取部９４も、ＣＩＳ及びＡＦＥを備える。ＣＩＳは、用紙の画像を読み取り、アナログの画像信号を生成する。ＡＦＥ９はＣＩＳからの画像信号を、デジタルの画像データに変換する。
【００３４】
［給紙トレイ１６の構造］
図４〜図９を参照して、給紙トレイ１６の構造を説明する。給紙トレイ１６は、伸縮式の給紙トレイであり、第一トレイ５０、第二トレイ５１及び第三トレイ５２を備える。第一トレイ５０は、平面視横長の矩形の箱状の板であり、上流側の端部に開口部５０４を備える。第二トレイ５１は、平面視横長の矩形の箱状の板であり、第一トレイ５０の開口部５０４から引き出し可能である。第三トレイ５２は、平面視横長の矩形の板であり、第二トレイ５１の開口部５１６から引き出し可能である。第三トレイ５２の上流側の端部には、把持部５２１が形成されている。
【００３５】
［第一トレイ５０の構造］
図４及び図５に示すように、第一トレイ５０は、第一トレイ５０の上面側に平面視横長の矩形の第一面５０１を備える。第一面５０１には、中央に搬送方向に延びる桟部５０７が形成され、桟部５０７の左右に、平面視矩形で桟部５０７より一段低くなった凹部５０５及び凹部５０６が形成されている。凹部５０５には、左右方向に延びるガイド溝５０２が形成されている。凹部５０６には、左右方向に延びるガイド溝５０３が形成されている。
【００３６】
桟部５０７の左方には、ガイド溝５０２に沿って、凹部５０５内を左右方向にスライドして移動可能にサイドガイド２０が第一面５０１に保持されている。桟部５０７の右方には、ガイド溝５０３に沿って、凹部５０６内を左右方向にスライドして移動可能にサイドガイド３０が第一面５０１に保持されている。サイドガイド２０及びサイドガイド３０は、第一面５０１から突出し、互いに左右対称な形状である。図６に示すように、サイドガイド２０の底部から突出するスライド部２１９が、ガイド溝５０２を貫通する。スライド部２１９の下端には、固定部材２１９Ａが設けられている。固定部材２１９Ａの前後方向の大きさは、ガイド溝５０２の前後方向の幅より大きい。従って、スライド部２１９がガイド溝５０２から外れない。サイドガイド３０及びガイド溝５０３も同様の構造である。また、図４及び図５に示すように、第一トレイ５０の下流側の端部には、突出部５０８及び突出部５０９が設けられている。突出部５０８及び突出部５０９は、第１筐体１１の図示外の嵌合部に嵌合して、第一トレイ５０を第１筐体１１に固定する。第一面５０１上には、用紙の移動に従動して回転する案内ローラ５１１、５１２、５１３、５１４、及び５１５が設けられている。以下では、第一トレイ５０の左右方向の中心を第一中心５２０という。
【００３７】
［サイドガイド２０の構造］
図４及び図５に示すように、サイドガイド２０は、本体部２１及び上ガイド２２を備える。本体部２１は、内側面２１１、外側面２１２、上面２１３、後端部２１５、及び鍔部２１７を備える。内側面２１１は、第一中心５２０を向く面である。外側面２１２は、本体部２１において、内側面２１１と反対側を向く面である。外側面２１２には、搬送方向に延びる窪み２１４が形成されている。窪み２１４は、外側面２１２に対して、第一中心５２０に向けて窪む。窪み２１４は、ユーザがサイドガイド２０を左右方向へスライドする時に、把持部として用いられる。内側面２１１及び外側面２１２の上端部は、上流側が低く、下流側が高い。上面２１３は、内側面２１１及び外側面２１２の上端部を接続する所定幅の平面であり、上ガイド２２に対向する側が円弧状に形成されている。内側面２１１には、第一面５０１から第一面５０１の法線方向（図６に示す軸２２５の方向）に第一距離Ｌ１（図３及び図５参照）離間した位置に標識２１６が形成されている。第一距離Ｌ１は一例として６ｍｍである。標識２１６は、給紙トレイ１６に積層可能な用紙の積層高さを示している。標識２１６は、印刷でも、樹脂成形により形成されてもよい。後端部２１５は、上面２１３の下流側の端部から延びる傾斜面である。内側面２１１の第一面５０１側の端部には、第一面５０１と平行に鍔部２１７が一定幅突出している。鍔部２１７の上面は、桟部５０７の上面と同じ高さになっている。
【００３８】
［サイドガイド３０の構造］
サイドガイド３０は、本体部３１及び上ガイド３２を備え、サイドガイド２０と左右対称の形状をしている。従って、本体部３１は、本体部２１と同様に、内側面３１１、外側面３１２、上面３１３、後端部３１５及び鍔部３１７を備える。外側面３１２には、搬送方向に延びる窪み３１４が形成されている。内側面３１１にも標識２１６と同様の標識（図示せず）が設けられてもよい。
【００３９】
［上ガイド２２の構造］
図４〜図９を参照して、上ガイド２２の構造を説明する。サイドガイド２０の上流の端部側には、上ガイド２２が設けられている。上ガイド２２は、本体部２１に対して、回動可能に設けられている。図４に示すように、上ガイド２２の先端２２４が本体部２１の内側面２１１から突出しない位置を「収納位置」という。図５に示すように、上ガイド２２の先端２２４が本体部２１の内側面２１１から突出する位置を「展開位置」という。従って、上ガイド２２は、収納位置と展開位置との間で回動可能である。
【００４０】
図４に示すように、上ガイド２２は、内側面２２１、外側面２２２、上面２２３、及び先端２２４を備える。内側面２２１は、第一中心５２０を向く面である。外側面２２２は、内側面２２１と反対側を向く面である。先端２２４は、上ガイド２２の収納位置（図４参照）において、本体部２１と反対側の端部である。内側面２２１及び外側面２２２の上端部は、先端２２４が低く、先端２２４と反対側が高い。上面２２３の下流側は、円弧状に形成されている。尚、上ガイド２２は、外側面２１２の窪み２１４よりも搬送方向において、上流に位置している。
【００４１】
図６に示すように、上ガイド２２は、第一面５０１の法線方向に延びる軸２２５を中心にサイドガイド２０に対して、収納位置と展開位置との間で回動可能である。具体的には、上ガイド２２は、本体部２１の基部２１８に、ねじ２２６により収納位置と展開位置との間で回動可能に固定されている。ねじ２２６の軸線が軸２２５である。従って、図７に示すように、上ガイド２２が収納位置にある場合に、軸２２５は、先端２２４よりも搬送方向の下流に位置する。また、上ガイド２２が収納位置にある場合に、先端２２４（例えば、先端２２４の右端）が内側面２１１よりも第一中心５２０（図４参照）から等距離にある。尚、必ずしも、等距離でなく、先端２２４が内側面２１１よりも第一中心５２０（図４参照）よりも遠い距離にあってもよい。また、図８に示すように、上ガイド２２が展開位置にある場合に、上ガイド２２の先端２２４がサイドガイド２０内側面２１１よりも第一中心５２０（図４参照）に近い位置になる。
【００４２】
また、サイドガイド２０は、収納位置から展開位置と反対方向への上ガイド２２の回動を規制する第一規制部を備えている。第一規制部は、図７に示すように、第二面２１２Ａと第三面２２２Ａとを含む。第二面２１２Ａは、軸２２５よりも第一中心５２０（図４参照）から遠いサイドガイド２０の一部分であって、収納位置にある上ガイド２２と当接する部分に形成されている。一例として、第二面２１２Ａは、軸２２５と平行に延びる面であり、本体部２１の外側面２１２の上ガイド２２側の端面であり、外側面２１２と直交する面である。また、第三面２２２Ａは、上ガイド２２に形成される面であって、上ガイド２２が収納位置にある場合に、第二面２１２Ａと当接する面である。一例として、第三面２２２Ａは、軸２２５と平行に延びる面であり、上ガイド２２の本体部２１側の端面であり、外側面２２２と直交する面である。
【００４３】
また、図８に示すように、上ガイド２２の展開位置は、上ガイド２２の先端２２４が第一中心５２０（図４参照）へ向けてサイドガイド２０の内側面２１１から突出する突出長さＬ３が最大となる位置である。サイドガイド２０は、この展開位置から、時計回りの回動、即ち、この展開位置から、図７に示す上ガイド２２収納位置と反対方向への回動を規制する第二規制部を備えている。第二規制部は、図８に示すように、軸２２５よりも第一中心５２０（図４参照）から近いサイドガイド２０の一部分であって、展開位置にある上ガイド２２と当接する位置に形成されている。第二規制部は、図８に示すように、第四面２１１Ａと、第四面２１１Ａに展開位置で当接する上ガイド２２の内側面２２１の部分とを含む。一例として、第四面２１１Ａは、軸２２５と平行に延びる面であり、本体部２１の内側面２１１の上ガイド２２側の端面であり、内側面２１１と斜めに交差する面である。
【００４４】
また、図３に示すように、第一トレイ５０の第一面５０１の法線方向において、第一面５０１と、展開位置（図５参照）において第一トレイ５０の第一面５０１に対向する上ガイド２２の用紙との接触面２２７との間の距離Ｌ２は、第一面５０１と標識２１６との法線方向の第一距離Ｌ１以上離間している。
【００４５】
［上ガイド３２の構造］
サイドガイド３０の上流の端部側には、上ガイド３２が設けられている。上ガイド３２は、本体部３１に対して、回動可能に設けられている。尚、上ガイド３２は、上ガイド２２と左右対称の形状であり、同様の機能であるので、説明は省略する。
【００４６】
［サイドガイド２０、３０の離間位置及び近接位置］
図４に示すように、サイドガイド２０、３０は、第一中心５２０に対して最も離間する離間位置と、図９に示すように、第一中心５２０に対して最も近づく近接位置との間において、左右方向に移動可能である。展開位置で、上ガイド２２の長手方向のサイドガイド２０の内側面２１１からの突出長さＬ３は、サイドガイド２０が近接位置にある場合における、サイドガイド２０の内側面２１１と第一中心５２０との距離Ｌ４よりも短い。同様に、展開位置で、上ガイド３２の長手方向のサイドガイド３０の内側面３１１からの突出長さＬ５は、サイドガイド３０が近接位置にある場合における、サイドガイド３０の内側面３１１と第一中心５２０との距離Ｌ６よりも短い。
【００４７】
［読取装置１の動作］
読取装置１によって複数の用紙が搬送され、画像が読み取られる場合の動作について説明する。初めに、使用者は、用紙の長さに合わせて、給紙トレイ１６の把持部５２１を把持して、第一トレイ５０から第二トレイ５１を引き出し、第二トレイ５１をから第三トレイ５２を引き出す。また、サイドガイド２０の窪み２１４及びサイドガイド３０の窪み３１４を把持して、用紙の幅に合わせて、サイドガイド２０、３０を左右方向に移動する。この場合に、上ガイド２２、３２は、図４に示す収納位置にある。このとき、図７に示すように、サイドガイド２０の第二面２１２Ａと上ガイド２２の第三面２２２Ａとの当接により、収納位置から展開位置と反対方向への上ガイド２２の回動が規制される。上ガイド３２も同様に収納位置から展開位置と反対方向への回動が規制される。従って、上ガイド２２、３２の先端２２４、３２４が外側に回動することを防止できる。また、使用者は、排紙トレイ１８を図１に示すように、用紙の長さに応じて引き出す。
【００４８】
次いで、使用者は、標識２１６以下の高さになるように、用紙を給紙トレイ１６の第一面５０１上に積載する。上ガイド２２、３２は、図４に示す収納位置にあるので、上ガイド２２、３２は、用紙が給紙トレイ１６に積載される場合の妨げにならない。また、上ガイド２２、３２は、収納位置において上ガイド２２、３２の先端２２４、３２４がサイドガイド２０、３０の内側面２１１、３１１よりも第一中心５２０から遠い距離又は等距離にあるので、給紙トレイ１６に用紙が載置される場合の邪魔にならない。また、積載される用紙の高さの制限の目安になる標識２１６が設けられているので、使用者は、給紙トレイ１６に、適正な枚数の用紙を積載することができる。
【００４９】
次いで、使用者は、上ガイド２２、３２を、図５に示す展開位置に回動する。このとき、図８に示すように、サイドガイド２０の第四面２１１Ａと上ガイド２２の内側面２２１との当接により、収納位置と反対方向への上ガイド２２の回動を規制することができる。従って、サイドガイド２０の内側面２２１から突出する長さが最大となる展開位置で、上ガイド２２が保持される。上ガイド３２も同様である。
【００５０】
また、図５示すように、第一トレイ５０の第一面５０１に対向する上ガイド２２の用紙との接触面２２７との間の距離Ｌ２は、第一面５０１と標識２１６との法線方向の第一距離Ｌ１以上離間している。従って、標識２１６の位置以下の高さまで用紙が積載されていれば、上ガイド２２、３２が給紙トレイ１６に載置された用紙の送りの妨げになる可能性を低減できる。
【００５１】
次いで、操作部４からの使用者の読み取りの指示の入力、又は、図示外のコンピュータから読み取りの指示により、制御部２は、第１モータ（図示外）、第２モータ（図示外）を回転駆動する。第１モータ（図示外）の回転駆動力は、軸４２に伝達されて、給紙ローラ６３０を反時計回りに回転させる。第２モータ（図示外）の回転駆動力は、軸部材９１Ａ、９２Ａに伝達されて、搬送ローラ９１、９２の各々を反時計回りに回転させる。複数の用紙が給紙ローラ６３０とリバースローラ４６との間に到達するまでは、リバースローラ４６は、給紙ローラ６３０に連れ回りすることで、時計回りに回転する。複数の用紙が給紙ローラ６３０とリバースローラ４６との間に到達すると、第２モータ（図示外）の回転駆動力は、リバースローラ４６を反時計回りに回転させる。
【００５２】
上記の状態で、搬送領域３に沿って搬送方向の下流に移動する複数の用紙のうち最も下側の用紙に、給紙ローラ６３０が下側から接触する。このとき、給紙ローラ６３０及びリバースローラ４６の回転によって、複数の用紙から用紙が１枚分離される。用紙は、搬送領域３に沿って下流に移動する。
【００５３】
搬送ローラ９１は、搬送領域３に沿って移動する用紙に下側から接触し、従動ローラ９５との間に用紙を挟んで、用紙を下流に更に搬送する。用紙は、搬送領域３に沿って下流に移動する。搬送ローラ９１の下流に配置された第１読取部９３は、制御部２からの指示に応じて、用紙の下面の画像を読み取る。搬送ローラ９１の下流に配置された第２読取部９４は、制御部２からの指示に応じて、用紙の上面の画像を読み取る。第１読取部９３及び第２読取部９４の出力信号は画像データに変換され、制御部２に出力される。
【００５４】
搬送ローラ９２は、第１読取部９３及び第２読取部９４を通過した用紙に下側から接触し、従動ローラ９６との間に用紙を挟んで、用紙を下流に更に搬送する。用紙は、排紙口１０Ｂから筐体１０の外部に排出され、排紙トレイ１８に配置される。
【００５５】
用紙が下流に搬送される場合に、展開位置の上ガイド２２、３２が、給紙トレイ１６に載置された用紙の上流側の左右の端部を規制する。従って、用紙のスキューが防止される。上ガイド２２、３２は、第一面５０１の法線方向に延びる軸２２５を中心にサイドガイド２０、３０に対して、各々収納位置と展開位置との間で回動可能なだけであるので、用紙のスキューによるズレにより、上ガイド２２、３２が用紙により押し上げられても、上ガイド２２、３２が上方向に回動して、用紙が載置される領域外に回動しない。従って、用紙のスキューによるズレを上ガイド２２、３２が規制でき、用紙がサイドガイド２０、３０に乗り上げてサイドガイド２０、３０から外れてしまうおそれを低減できる。
【００５６】
また、読取装置１では、図７に示すように、上ガイド２２が収納位置にある場合に、軸２２５は、上ガイド２２の先端２２４よりも下流に位置するので、上ガイド２２の先端２２４をサイドガイド２０の上流の端部側に設けることができる。上ガイド３２においても同様である。また、サイドガイド２０、３０の外側面２１２、３１２に各々形成された窪み２１４、３１４は、サイドガイド２０、３０の把持部として利用される。上ガイド２２、３２は、窪み２１４、３１４よりも上流に位置するので、上ガイド２２、３２は、使用者が窪み２１４、３１４を把持する場合の妨げにならない。また、サイドガイド２０、３０に、上ガイド２２、３２が各々設けられるので、サイドガイド２０、３０の何れの方向への用紙の乗り上げの可能性を低減できる。
【００５７】
また、図９に示すように、サイドガイド２０、３０が第一中心５２０に対して最も近づく近接位置にある場合でも、展開位置で、上ガイド２２の長手方向のサイドガイド２０の内側面２１１からの突出長さＬ３は、サイドガイド２０の内側面２１１と第一中心５２０との距離Ｌ４よりも短い。同様に、展開位置で、上ガイド３２の長手方向のサイドガイド３０の内側面３１１からの突出長さＬ５は、サイドガイド３０の内側面３１１と第一中心５２０との距離Ｌ６よりも短い。従って、サイドガイド２０、３０が近接位置にある場合でも、展開位置で、上ガイド２２、３２が互いに接触せず、上ガイド２２、３２の展開位置への回動の妨げになる可能性を低減できる。
【００５８】
［構成の対応関係］
上記実施形態において、読取装置１が本発明の「給紙装置」の一例である。給紙ローラ６３０が本発明の「ローラ」の一例である。給紙トレイ１６が本発明の「トレイ」の一例である。サイドガイド２０が本発明の「第一サイドガイド」及び「サイドガイド」の一例である。サイドガイド３０が本発明の「第二サイドガイド」及び「サイドガイド」の一例である。上ガイド２２が本発明の「第一上ガイド」及び「上ガイド」の一例である。上ガイド３２が本発明の「第二上ガイド」及び「上ガイド」の一例である。標識２１６が本発明の「標識」の一例である。図２に示す搬送方向が本発明の「第一方向」の一例である。左右方向が本発明の「第二方向」の一例である。
【００５９】
［変形例］
本発明の給紙装置及び給紙装置のトレイは、上記した実施形態に限定されるものではなく、本発明の要旨を逸脱しない範囲内において種々変更が加えられてもよい。例えば、給紙トレイ１６は、読取装置１に用いられるものに限られず、印刷装置、ファクシミリ装置、複合機等に用いられるものでもよい。サイドガイドは、一方が固定で、他方が左右方向に移動可能なものでもよい。用紙は、原稿用紙に限られず、印刷用の用紙でもよい。第一距離Ｌ１は、６ｍｍに限られず、給紙トレイ１６に搭載でき、搬送可能な用紙の積載高さにすればよい。例えば、５ｍｍでも、１０ｍｍでもよい。また、ローラは、給紙ローラ６３０に限られず、搬送ローラ９１又は搬送ローラ９２でもよい。
【符号の説明】
【００６０】
１        読取装置
１６      給紙トレイ
２０      サイドガイド
２２      上ガイド
３０      サイドガイド
３２      上ガイド
５０      第一トレイ
５１      第二トレイ
５２      第三トレイ
２１１    内側面
２１１Ａ  第四面
２１２    外側面
２１２Ａ  第二面
２１４    窪み
２１６    標識
２２１    内側面
２２２    外側面
２２２Ａ  第三面
２２４    先端
２２７    接触面
３１１    内側面
３１２    外側面
３１４    窪み
３２４    先端
５０１    第一面
５２０    第一中心
６３０    給紙ローラ
Ｌ１      第一距離
Ｌ２      距離
Ｌ３      突出長さ
Ｌ４      距離
Ｌ５      突出長さ
Ｌ６      距離
【図１】
2017165575.tif 000003
【図２】
2017165575.tif 000004
【図３】
2017165575.tif 000005
【図４】
2017165575.tif 000006
【図５】
2017165575.tif 000007
【図６】
2017165575.tif 000008
【図７】
2017165575.tif 000009
【図８】
2017165575.tif 000010
【図９】
2017165575.tif 000011